(57)【要約】【課題】駐車場管理者が駐車場を管理する技術であって、ユーザが駐車料金を精算する技術が改良されたものを提供する。【解決手段】駐車場管理システムは、駐車場に設置され、駐車料金に関連する料金情報（例えば、時刻コード）を出力する装置と、前記駐車場を遠隔地において管理する管理サーバと、前記駐車場に居るユーザの通信機器であって、前記出力された料金情報を入力し、その料金情報またはそれに基づく情報を前記管理サーバに送信するものとを有する。前記管理サーバは、前記通信機器を介したユーザからのリクエストに応答し、前記駐車料金を電子決済（例えば、ポイント使用）によって精算するための精算部を有する。【選択図】図３１
2020091881.tif 000002
【特許請求の範囲】
【請求項１】
駐車場を管理する駐車場管理システムであって、
前記駐車場に設置され、駐車料金に関連する料金情報を出力する装置と、
前記駐車場を遠隔地において管理する管理サーバと、
前記駐車場に居るユーザの通信機器であって、前記出力された料金情報を入力し、その料金情報またはそれに基づく情報を前記管理サーバに送信するものと
を含み、
前記管理サーバは、前記通信機器を介したユーザからのリクエストに応答し、前記駐車料金を電子決済によって精算するための精算部を有する駐車場管理システム。
【請求項２】
前記料金情報は、画像として表現され、
前記通信機器は、イメージリーダを有し、そのイメージリーダを用いて前記画像を読み取って前記料金情報を入力する請求項１に記載の駐車場管理システム。
【請求項３】
請求項１または２に記載の通信機器としてコンピュータを機能させるためのプログラム。
【請求項４】
請求項１または２に記載の管理サーバとしてコンピュータを機能させるためのプログラム。
【請求項５】
請求項３または４に記載のプログラムをコンピュータ読み取り可能に記録した記録媒体。
【発明の詳細な説明】
【技術分野】
【０００１】
本発明は、駐車場を管理する技術に関するものである。
【背景技術】
【０００２】
車両のための複数の駐車位置を有する駐車場が既に広く普及している。この種の駐車場は、駐車位置への車両の搬送方式の観点で分類すると、ユーザが自ら車両を運転して駐車位置に搬送する方式と、パレットやケージを機械的に移動させて車両を機械的に駐車位置に搬送する機械式とに分類される。また、その駐車場は、ユーザに無料で貸される場合もあれば、有料で貸される場合もある。有料駐車場は、ユーザに貸す時間の長さという観点で分類すれば、月極めと、時間貸し（「日貸し」を含む。）とに分類される。
【０００３】
時間貸し駐車場は、駐車料金の支払い方式という観点で分類すれば、駐車開始に先立ってユーザが駐車料金を支払う前払い式（ただし、出庫時に、駐車料金の不足分を支払う可能性を含む。）と、駐車終了時にユーザが駐車料金をまとめて支払う後払い式とに分類される。
【０００４】
また、時間貸し駐車場は、その管理方式という観点で分類すれば、駐車場を管理・監視する担当者が現場である駐車場に常駐している有人式と、駐車場に常駐していない担当者が散発的に現場である駐車場に派遣される無人式とに分類される。
【０００５】
この種の駐車場およびその駐車場に設置される設備（発券機を含む。）を開示している公知文献として、例えば、特許文献１が存在する。
【０００６】
特許文献１は、前払い式の無人駐車場を開示している。この駐車場には、駐車が許可された時間を記録した駐車カードを有料で発行するカード発行機と、常には閉じられている入庫ゲートと、入庫口に設置され、駐車カードが挿入されると、その駐車カードが適切であることを条件に入庫ゲートを開く入庫管理装置とが設置される。さらに、この駐車場には、常には閉じられている出庫ゲートと、出庫口に設置され、駐車カードが挿入されると、その駐車カードが適切であることを条件に出庫ゲートを開く出庫管理装置とが設置される。
【０００７】
このように、特許文献１は、ユーザが自動車を無人の有料駐車場に駐車する場合、ユーザが、実在するカード（例えば、物理的な駐車券）を用いて駐車を行う技術を開示している。
【０００８】
これに対し、特許文献２は、ユーザが自動車を無人の有料駐車場に駐車する場合、ユーザがカードレス方式で駐車を行う技術を開示している。
【先行技術文献】
【特許文献】
【０００９】
【特許文献１】特開２００６−１４６３２５号公報
【特許文献２】特開平８−１１１０００号公報
【発明の概要】
【発明が解決しようとする課題】
【００１０】
特許文献２に開示された技術によれば、ユーザは、カードを用いることなく、駐車場に駐車できるため、カードの紛失等の心配をせずに済むという利点がある。しかし、特許文献２に開示された技術を実施するためには、駐車場において、駐車しようとする自動車に固有な情報を取得するために、特殊かつ高価な設備を自動車および駐車場の双方に設置しなければならず、駐車場を所有する者や駐車場を管理する者にとっては、設備自体のコスト、その設備を駐車場に設置する作業に必要なコストおよび工数や、その設備を保守・点検する作業に必要なコストおよび工数が増加し易いという欠点がある。
【００１１】
また、駐車場を管理する駐車場管理者にとっては、ユーザが駐車場に入庫または出庫した事実を正確に把握することが重要である。また、時間貸し駐車場のユーザにとっては、駐車料金を精算するための技術を改良することが重要である。
【００１２】
以上の知見を背景にして、本発明は、駐車場を管理する技術であって、ユーザが駐車料金を精算するための技術を改良することを課題としてなされたものである。
【課題を解決するための手段】
【００１３】
この課題を解決するために、本発明のあるアスペクトによれば、駐車場を管理する駐車場管理システムであって、
前記駐車場に設置され、駐車料金に関連する料金情報を出力する装置と、
前記駐車場を遠隔地において管理する管理サーバと、
前記駐車場に居るユーザの通信機器であって、前記出力された料金情報を入力し、その料金情報またはそれに基づく情報を前記管理サーバに送信するものと
を含み、
前記管理サーバは、前記通信機器を介したユーザからのリクエストに応答し、前記駐車料金を電子決済によって精算するための精算部を有する駐車場管理システムが提供される。
また、本発明の一側面によれば、ユーザが通信機器を介して任意の場所から駐車場管理者の管理サーバにオンライン・アクセスし、それにより、前記駐車場管理者から電子駐車券を取得し、その電子駐車券を用いて、ユーザによって選択された駐車場にユーザが駐車することを可能にするカードレス駐車管理方法であって、
ユーザが前記電子駐車券の発行を前記駐車場管理者に対して要求するために、前記通信機器が発行リクエストを送信すると、前記管理サーバが前記通信機器から前記発行リクエストを受信する工程と、
その受信後、前記管理サーバが、ユーザに対して前記電子駐車券を発行し、その電子駐車券を表示するためのデータであって前記電子駐車券を特定するための電子駐車券特定データを含むものを前記通信機器に送信する工程と、
ユーザの前記駐車場への入庫時に、前記発行された電子駐車券を利用して前記駐車場への駐車を開始するために、前記通信端末が利用リクエストと前記電子駐車券特定データとを送信すると、前記管理サーバが前記通信機器から前記利用リクエストと前記電子駐車券特定データとを受信する工程と、
その受信後、前記管理サーバが、前記受信した電子駐車券特定データと、当該管理サーバのメモリに予め登録されている電子駐車券特定データとの照合により、ユーザの前記電子駐車券が有効であるか否かを判定し、有効ではないと判定すると、前記電子駐車券の利用を許可しないことを表す情報を前記通信機器に送信する工程と
を含むカードレス駐車管理方法が提供される。
【００１４】
また、本発明の別の側面によれば、ユーザが通信機器を介して任意の場所から駐車場管理者の管理サーバにオンライン・アクセスし、それにより、前記駐車場管理者から電子駐車券を購入し、その電子駐車券を用いて、ユーザによって選択された駐車場にユーザが駐車することを可能にするカードレス駐車管理方法であって、
ユーザが前記電子駐車券の発行を前記駐車場管理者に対して要求するために、前記通信機器が発行リクエストを送信すると、前記管理サーバが前記通信機器から前記発行リクエストを受信する工程と、
その受信後、ユーザにより、ユーザが指定した予定駐車時間の長さに見合う額の駐車料金が支払われると、前記管理サーバが、ユーザに対して前記電子駐車券を発行し、その電子駐車券を表示するためのデータであって前記電子駐車券を特定するための電子駐車券特定データを含むものを前記通信機器に送信する工程と、
ユーザの前記駐車場への入庫時に、前記発行された電子駐車券を利用して前記駐車場への駐車を開始するために、前記通信端末が利用リクエストと前記電子駐車券特定データとを送信すると、前記管理サーバが前記通信機器から前記利用リクエストと前記電子駐車券特定データとを受信する工程と、
その受信後、前記管理サーバが、前記受信した電子駐車券特定データと、当該管理サーバのメモリに予め登録されている電子駐車券特定データとの照合により、ユーザの前記電子駐車券が有効であるか否かを判定し、有効ではないと判定すると、前記電子駐車券の利用を許可しないことを表す情報を前記通信機器に送信する工程と
を含むカードレス駐車管理方法が提供される。
【００１５】
本発明のあるアスペクトによれば、ユーザが携帯端末を介して任意の場所から駐車場管理者の管理サーバにオンライン・アクセスし、それにより、前記駐車場管理者から電子駐車券を購入し、その電子駐車券を用いて、ユーザによって選択された駐車場にユーザが駐車することを可能にするカードレス駐車管理方法であって、
ユーザが前記電子駐車券の発行を前記駐車場管理者に対して要求するために、前記管理サーバが、ユーザの携帯端末から受信する工程と、
その受信後、ユーザにより、ユーザが指定した予定駐車時間の長さに見合う額の駐車料金が支払われると、前記管理サーバが、ユーザに対して前記電子駐車券を発行し、その電子駐車券を表示するためのデータをユーザの携帯端末に送信する工程と、
ユーザの前記駐車場への入庫時に、前記発行された電子駐車券を利用して前記駐車場への駐車を開始するために、前記管理サーバが、ユーザの携帯端末から受信する工程と、
その受信後、前記管理サーバが、ユーザの前記電子駐車券が有効であるか否かを判定し、有効ではないと判定すると、前記電子駐車券の利用を許可しないことを表す情報をユーザの携帯端末に送信する工程と、
ユーザによる実際の連続駐車時間の長さが前記予定駐車時間の長さを超過した場合、ユーザの前記駐車場からの出庫時に、前記管理サーバが、ユーザの携帯端末から受信する工程と、
その受信後、前記管理サーバが、前記超過した時間の長さに見合う額の追加駐車料金を計算し、その追加駐車料金をユーザが精算すると、その精算が行われたを表すデータをユーザの携帯端末に送信する工程と
を含むカードレス駐車管理方法が提供される。
【００１６】
また、本発明の一側面によれば、複数の駐車場のそれぞれに設置され、現在時刻が暗号化された時刻コードを他の駐車場において表示される時刻コードとは異なるように表示する駐車場用時刻コード表示装置であって、
前記時刻コードは、ユーザが、対応する駐車場に入庫または出庫した事実を取得するために、前記複数の駐車場を管理する管理者によって用いられ、
前記時刻コードは、その時刻コードが表示されている駐車場の場所を一義的に特定できる場所識別力を有する駐車場用時刻コード表示装置が提供される。
【００１７】
また、本発明の別の側面によれば、複数の駐車場のそれぞれにおいて、現在時刻が暗号化された時刻コードを他の駐車場において表示される時刻コードとは異なるように表示する駐車場用時刻コード表示方法であって、
前記時刻コードは、ユーザが、対応する駐車場に入庫または出庫した事実を取得するために、前記複数の駐車場を管理する管理者によって用いられ、
前記時刻コードは、その時刻コードが表示されている駐車場の場所を一義的に特定できる場所識別力を有する駐車場用時刻コード表示方法が提供される。
【００１８】
また、本発明のさらに別の側面によれば、駐車場において、現在時刻が暗号化された時刻コードを表示する駐車場用時刻コード表示装置であって、
前記時刻コードは、前記駐車場のユーザが、既知の文字、数字、記号もしくは図形またはそれらの組合せとして読み取って再現することが可能であるとともに、ユーザは解読できないが前記駐車場の管理者は解読でき、かつ、その解読により、前記現在時刻を表す情報を復元することが可能である駐車場用時刻コード表示装置が提供される。
【００１９】
本発明によって下記の各態様が得られる。各態様は、項に区分し、各項には番号を付し、必要に応じて他の項の番号を引用する形式で記載する。これは、本発明が採用し得る技術的特徴の一部およびそれの組合せの理解を容易にするためであり、本発明が採用し得る技術的特徴およびそれの組合せが以下の態様に限定されると解釈すべきではない。すなわち、下記の態様には記載されていないが本明細書には記載されている技術的特徴を本発明の技術的特徴として適宜抽出して採用することは妨げられないと解釈すべきなのである。
【００２０】
さらに、各項を他の項の番号を引用する形式で記載することが必ずしも、各項に記載の技術的特徴を他の項に記載の技術的特徴から分離させて独立させることを妨げることを意味するわけではなく、各項に記載の技術的特徴をその性質に応じて適宜独立させることが可能であると解釈すべきである。
【００２１】
（１）  駐車場を管理する駐車場管理方法であって、
前記駐車場には、
時計と、
その時計によって計測された現在時刻を、暗号化により、前記駐車場のユーザが、既知の文字、数字、記号もしくは図形またはそれらの組合せとして読み取って再現することが可能である時刻コードであってユーザは解読できないが前記駐車場の管理者は解読できるものに変換する暗号化部と、
その暗号化部によって生成された時刻コードを表示する表示部と
を含む駐車場用時刻コード生成・表示装置が設置されており、
当該駐車場管理方法は、
前記ユーザが、前記駐車場への入庫時に、電子駐車券を利用した前記駐車場への駐車をこれから行うために、通信機器を介して送信した、前記電子駐車券を特定するための情報と、前記駐車場への入庫時に前記表示部に表示されている時刻コードとを通信部において受信する入庫時受信工程と、
プロセッサにより、その入庫時に受信した時刻コードを暗号解読テーブルを参照して解読し、その解読結果に基づき、前記受信した時刻コードによって表される時刻を入庫時刻として推定し、その推定された入庫時刻が、前記プロセッサが前記時刻コードを受信した受信時刻に対して決まる所定許容範囲内にあるか否かを判定し、それにより、前記推定された入庫時刻が妥当であるか否かを判定する入庫時刻妥当性判定工程と、
前記プロセッサにより、前記推定された入庫時刻が妥当であると判定された場合に、前記ユーザによる前記駐車場の利用を許可する駐車許可工程と
を含む駐車場管理方法。
【００２２】
本明細書の全体を通じて、「電子駐車券」なる用語は、実在しない仮想的な駐車券であって、ユーザがその電子駐車券を利用するためにその電子駐車券上の記載事項を他の媒体に印刷したり表示したりして相手方に提示することを要求されない形式の駐車券を意味する。
【００２３】
（２）  駐車場を管理する駐車場管理方法であって、
前記駐車場には、
現在時刻が暗号化されて生成された時刻コードであって、前記駐車場のユーザが、既知の文字、数字、記号もしくは図形またはそれらの組合せとして読み取って再現することが可能であるとともに、ユーザは解読できないが前記駐車場の管理者は解読できるものを表示する表示部が設置されており、
当該駐車場管理方法は、
前記ユーザが、前記駐車場への入庫時に、電子駐車券を利用した前記駐車場への駐車をこれから行うために、通信機器を介して送信した、前記電子駐車券を特定するための情報と、前記駐車場への入庫時に前記表示部に表示されている時刻コードとを通信部において受信する入庫時受信工程と、
プロセッサにより、その入庫時に受信した時刻コードを暗号解読テーブルを参照して解読し、その解読結果に基づき、前記受信した時刻コードによって表される時刻を入庫時刻として推定し、その推定された入庫時刻が、前記プロセッサが前記時刻コードを受信した受信時刻に対して決まる所定許容範囲内にあるか否かを判定し、それにより、前記推定された入庫時刻が妥当であるか否かを判定する入庫時刻妥当性判定工程と、
前記プロセッサにより、前記推定された入庫時刻が妥当であると判定された場合に、前記ユーザによる前記駐車場の利用を許可する駐車許可工程と
を含む駐車場管理方法。
【００２４】
（３）  さらに、
前記ユーザが、前記駐車場への出庫時に、前記通信機器を介して送信した、前記電子駐車券を特定するための情報と、前記駐車場への出庫時に前記表示部に表示されている時刻コードとを前記通信部において受信する出庫時受信工程と、
前記プロセッサにより、その出庫時に受信した時刻コードを前記暗号解読テーブルを参照して解読し、その解読結果に基づき、前記受信した時刻コードによって表される時刻を出庫時刻として推定し、その推定された出庫時刻が、前記プロセッサが前記時刻コードを受信した受信時刻に対して決まる所定許容範囲内にあるか否かを判定し、それにより、前記推定された出庫時刻コードが妥当であるか否かを判定する出庫時刻妥当性判定工程と、
前記プロセッサにより、前記推定された出庫時刻が妥当であると判定された場合に、前記推定された入庫時刻から、前記推定された出庫時刻までの経過時間の長さを、前記ユーザによる駐車時間として計算する駐車時間計算工程と
を含む（１）または（２）項に記載の駐車場管理方法。
【００２５】
（４）  さらに、
前記ユーザが前記通信機器を介して送信した、前記電子駐車券の発行を前記駐車管理者に対して要求するための発行リクエストを前記通信部において受信する発行リクエスト受信工程と、
前記プロセッサにより、その受信した発行リクエストに応答し、所定の額の料金を前記ユーザが前払いすることを条件に、前記ユーザに対して前記電子駐車券を発行して前記ユーザの通信機器に送信する電子駐車券発行工程と
を含む（１）ないし（３）項のいずれかに記載の駐車場管理方法。
【００２６】
（５）  駐車場に設置されて使用され、
現在時刻が暗号化されて生成された時刻コードであって、前記駐車場のユーザが、既知の文字、数字、記号もしくは図形またはそれらの組合せとして読み取って再現することが可能であるとともに、ユーザは解読できないが前記駐車場の管理者は解読できるものを表示する駐車場用時刻コード表示装置。
【００２７】
（６）  前記時刻コードと一緒に、前記駐車場に固有の場所コードも表示する（５）項に記載の駐車場用時刻コード表示装置。
【００２８】
（７）  前記ユーザの通信機器と通信ネットワークを介して通信可能に接続され、（１）ないし（４）項のいずれかに記載の駐車場管理方法をコンピュータによって実行する管理サーバ。
【００２９】
（８）  （１）ないし（４）項のいずれかに記載の駐車場管理方法を実施するためにコンピュータによって実行されるプログラム。
【発明の効果】
【００３０】
本発明によれば、駐車場に特殊かつ高価な設備を設置することなく、ユーザがカードレス方式で駐車場に駐車することを可能にするサービスを提供できる。
【図面の簡単な説明】
【００３１】
【図１】図１は、本発明の例示的な第１実施形態に従う駐車場管理方法によって管理される駐車場の一例を示す平面図である。
【図２】図２は、図１に示す発券機を示す正面図である。
【図３】図３は、図２に示す発券機を、扉が開いている状態で示す斜視図である。
【図４】図４は、図２に示す発券機の部品構成を示すブロック図である。
【図５】図５は、図４に示すコンピュータによって実行される発券・精算プログラムを概念的に表すフローチャートである。
【図６】図６（ａ）−（ｄ）は、図２に示す表示器の画面上に表示される複数の画像を示す正面図である。
【図７】図７（ａ）は、図２に示す発券機により、前払い駐車料金の支払い後に発行される駐車券および領収書の一例を示す正面図であり、図７（ｂ）は、図２に示す発券機により、追加駐車料金の支払い後に発行される領収書の一例を示す正面図である。
【図８】図８（ａ）は、図７（ａ）に示す駐車券を、発行直後の状態で示す縦断面図であり、図８（ｂ）は、その駐車券を、一部が剥がされて折り曲げられた状態で示す縦断面図である。
【図９】図９（ａ）は、図７（ａ）に示す駐車券を、駐車車両のフロントガラスの裏面に貼り付けられた状態で示す側面断面図であり、図９（ｂ）は、その駐車券を、それの表示シートの一部がセパレータから剥がされて折り曲げられた状態で示す斜視図である。
【図１０】図１０は、図７（ａ）に示す駐車券が駐車車両のフロントガラスの裏面に貼り付けられている様子を示す斜視図である。
【図１１】図１１（ａ）−（ｃ）は、図７（ａ）および（ｂ）にそれぞれ示す領収書に印刷される暗号データの一例の構成、それに対応する実データ、および実データから暗号データへの変換工程を説明するための図である。
【図１２】図１２は、図７（ａ）および（ｂ）にそれぞれ示す領収書に印刷される暗号データをユーザが、自分の携帯電話機を用いて、遠隔地にいる駐車場管理者に通信する様子と、その駐車場管理者が、受信した暗号データを実データに変換する様子とを説明するための斜視図である。
【図１３】図１３（ａ）−（ｃ）は、図４に示す発券機のうち、前記駐車場管理方法に関連する部分であって、時刻コードの生成および表示という処理を概念的に説明するための図である。
【図１４】図１４は、図１３（ａ）−（ｃ）に示す処理（時刻コードの生成および表示）を実行するために、図４に示す発券機のコンピュータによって実行されるコード表示プログラムを概念的に表すフローチャートである。
【図１５】図１５は、前記駐車場管理方法が実施されるシステム全体を説明するための概念的な系統図である。
【図１６】図１６は、図１５に示す管理サーバにおいて実行される電子駐車券処理プログラムのうちの一部である第１サブプログラムを概念的に表すフローチャートである。
【図１７】図１７は、図１５に示す管理サーバにおいて実行される電子駐車券処理プログラムのうちの別の部分である第２サブプログラムを概念的に表すフローチャートである。
【図１８】図１８は、図１５に示す管理サーバにおいて実行される電子駐車券処理プログラムのうちのさらに別の部分である第３サブプログラムを概念的に表すフローチャートである。
【図１９】図１９は、図１５に示す会員ＤＢを概念的に表す図である。
【図２０】図２０は、図１５に示す電子駐車券ＤＢを概念的に表す図である。
【図２１】図２１は、前記電子駐車券処理プログラムの実行によって発行される電子駐車券の一例を示す図である。
【図２２】図２２は、前記電子駐車券処理プログラムの実行によって行われる会員登録という工程を説明するためのシーケンス図である。
【図２３】図２３は、前記電子駐車券処理プログラムの実行によって行われる電子駐車券の発行という工程を説明するためのシーケンス図である。
【図２４】図２４は、前記電子駐車券処理プログラムの実行によって行われる電子駐車券の利用許可という工程を説明するためのシーケンス図である。
【図２５】図２５は、前記電子駐車券処理プログラムの実行によって発行される領収書の一例を示す図である。
【図２６】図２６は、前記電子駐車券処理プログラムの実行によって行われる、延長駐車時の駐車料金の精算という工程を説明するためのシーケンス図である。
【図２７】図２７は、図１５に示す管理サーバにおいて実行される出庫催促という工程を説明するためのシーケンス図である。
【図２８】図２８は、本発明の例示的な第２実施形態に従う駐車場管理方法を実行するために管理サーバにおいて実行される電子駐車券処理プログラムのうち、図１７に示す第２サブプログラムを置換する第４サブプログラムを概念的に表すフローチャートである。
【図２９】図２９は、前記第２実施形態における電子駐車券処理プログラムのうち、図１８に示す第３サブプログラムを置換する第５サブプログラムを概念的に表すフローチャートである。
【図３０】図３０は、前記第２実施形態における電子駐車券処理プログラムの実行によって行われる、電子駐車券を利用した駐車の許可という工程を説明するためのシーケンス図である。
【図３１】図３１は、前記第２実施形態における電子駐車券処理プログラムの実行によって行われる、電子駐車券を利用した駐車の終了時における料金精算という工程を説明するためのシーケンス図である。
【図３２】図３２は、前記第２実施形態における電子駐車券処理プログラムの実行によって発行される領収書の一例を示す図である。
【図３３】図３３は、前記第２実施形態における管理サーバにおいて実行される出庫催促という工程を説明するためのシーケンス図である。
【発明を実施するための形態】
【００３２】
以下、本発明の例示的ないくつかの実施形態に従う駐車場管理方法を図面に基づいて詳細に説明する。
【００３３】
＜第１実施形態＞
【００３４】
図１には、本発明の例示的な第１実施形態に従う駐車場管理方法によって管理される駐車場１０が平面図で示されている。
【００３５】
この駐車場１０は、複数台の自動車の同時駐車を可能にする複数の駐車位置（駐車スペース）を有する。この駐車場１０の唯一の入出庫口１２（入庫口でもあるし出庫口でもある）の近傍位置に、１台の発券機（一般には、「精算機」ともいう。）２０が、複数の駐車位置に共通に、集中発券機として設置されている。この駐車場１０は、常駐して管理を行う専従者がおらず、運転者であるユーザが駐車料金の支払いを発券機２０に対して行う無人式である。
【００３６】
本実施形態においては、ユーザは、駐車場１０に居て、そこから駐車場管理者へのアクセスを要求されることなく、任意の場所において事前に電子駐車券（通常、１回分の駐車ではなく、複数回分の駐車を可能とする駐車券であり、列車やバスなどの交通機関における回数券に相当する）をオンラインで駐車場管理者から購入し、その電子駐車券を利用してこの駐車場１０に駐車することが可能である。
【００３７】
しかし、本実施形態においては、ユーザは、そのような駐車の仕方に代えて、この駐車場１０を利用しようとするごとに、その駐車に先立ち（入庫時に）、今回の駐車を行いたい予定駐車時間の長さを指定し、それに見合った額の駐車料金を前払い駐車料金として発券機２０に対して支払うことにより、紙媒体に印刷された駐車券（すなわち、物理的なチケット、実在するチケットまたはカード）を発券機２０から購入し、その紙製駐車券を利用してこの駐車場１０に駐車することも可能である。
【００３８】
すなわち、本実施形態においては、ユーザは、任意の場所からの駐車場管理者へのオンライン・アクセスによって購入可能な電子駐車券（バーチャルなチケット）を利用した新規な駐車（キャッシュレスかつカードレスであり、以下、「カードレス駐車」という）」）と、駐車場１０に設置された発券機２０からしか購入できない物理的な駐車券を利用した通常の駐車（現金と物理的なチケットとの双方を必要とし、以下、「通常駐車」という）とのいずれかを好みに応じて選択することが可能である。
【００３９】
なお、「車両」なる用語の定義について付言するに、この「発明を実施するための形態」の欄においては、「車両」なる用語は、自動車のみを意味するが、本明細書の他の箇所においては、「車両」なる用語は、自動車のみならず、自転車、自動二輪車等、あらゆる種類の移動体を包含する用語として解釈すべきである。
【００４０】
駐車場１０の敷地には、２種類の駐車区画が存在する。それは、各車両のユーザに対し、１日単位で駐車スペースを貸し出すための区画（一時預り区画または日貸し用区画）と、各車両のユーザに対し、事前の契約を前提に、１月単位で駐車スペースを貸し出すための区画（月極用区画）とである。発券機２０は、一時預り区画について使用される。以下、単に「駐車場１０」というときには、この駐車場１０のうち、一時預り区画、すなわち、発券機２０が使用されるエリアのみを意味する。
【００４１】
駐車場１０を利用するために、ユーザである運転者は、自己の車両を運転して、隣接道路から入出庫口１２に進入し、引き続いて運転して発券機２０を素通りし、さらに、自己の車両を、自身で選択したいずれかの駐車スペース（駐車位置）まで運転してそこに駐車する。
【００４２】
ユーザは、前記通常駐車を行う場合には、いずれかの駐車スペースに自己の車両を停止させた後、自己の車両から降りて、入出庫口１２にある発券機２０まで歩いていき、そこで駐車料金を発券機２０に対して支払う。
【００４３】
図２には、発券機２０が正面図で示されており、図３には、発券機２０を、扉２４が開いている状態で斜視図で示されており、図４には、発券機２０の部品構成がブロック図で示されている。図５は、図４に示す制御基板３４内のコンピュータ１００によって実行される発券・精算プログラムが概念的にフローチャートで表されている。図６（ａ）−（ｄ）には、図２に示す表示器３６の画面上に表示される複数の画像が正面図で示されている。
【００４４】
ユーザは、駐車料金の支払いと引き換えに、図７（ａ）および図８に示す駐車券８０を発券機２０から受け取る。その後、ユーザは、その駐車券８０を、図９および図１０に示すように、自己の車両のフロントガラス１１０（車両の「窓ガラス」の一例である。）の裏面に貼り付ける。その駐車券８０は、駐車車両の室内に置かれるため、雨風に曝されることはないし、紛失することもない。
【００４５】
駐車場１０は、複数の駐車位置を有する前払い式の無人駐車場であって、車両の出庫を阻止する（駐車場１０からの退出を阻止する）ための装置（例えば、出庫ゲート装置や、輪止め装置（例えば、フラップ式や、出没式））を有せず、かつ、ユーザが前記複数の駐車位置のうちのいずれかを自由に選んで自己の車両を駐車することが可能である（選択された駐車位置は、発券機２０によって監視されない）。このように構成された駐車場１０について発券機２０が使用される。
【００４６】
ここで、発券機２０をさらに具体的に説明する。この発券機２０は、料金精算機能は有するが釣銭機能も通信機能も有しない。この発券機２０は、ユーザが駐車料金を、紙幣ではなく硬貨のみで支払うことを要求する。また、この発券機２０は、ユーザに対し、ユーザ識別番号の入力も、ユーザの車両についての車両識別情報（例えば、車両番号）の入力も、複数の駐車位置のうちユーザが選択するものの特定も、要求しない。
【００４７】
発券機２０は、図２に示すように、発券ボタン７０と、料金精算ボタン７４とを有する。発券機２０は、ユーザが、駐車開始に先立ち、前払い駐車料金を支払った後に発券ボタン７０を押すと、駐車が許可されたことを示す駐車券８０（図７（ａ）参照）と、前払い駐車料金の精算が済んだことを示す領収書８１ａ（図７（ａ）参照）とを、２枚綴りで発行する発券機能を有する。発券機２０は、さらに、ユーザが、駐車終了後、追加駐車料金を支払った後に料金精算ボタン７４を押すと、追加駐車料金の精算が済んだことを示す領収書８１ｂ（図７（ｂ）参照）を発行する料金精算機能を有する。
【００４８】
本実施形態においては、前払い駐車料金の支払い後に発行される２枚綴りの駐車票は、駐車券８０と領収書８１ａの２枚綴りであるが、ユーザは、それら駐車券８０と領収書８１ａを互いに分離し、駐車券８０のみ、駐車車両内に置いておき、領収書８１ａは、携帯することが可能である。領収書８１ａには、後述のように、有効駐車時間（ユーザによる駐車が許可された時間帯）の終了時刻が印刷されており、ユーザが、駐車車両から離れた場所においていつでも有効駐車時間の終了時刻を参照できるようにするために、この領収書８１ａをユーザが携帯することが便利である。
【００４９】
図３に示すように、この発券機２０は、縦長で箱状を成すケーシング２２に扉２４がそれの一側辺において開閉可能に取り付けられて構成されている。図３には、この発券機２０の内部構成が、扉２４が開いている状態で、斜視図で示されている。図４には、この発券機２０の部品構成がブロック図で示されている。
【００５０】
図３に示すように、この発券機２０は、硬貨処理ユニット３０と、金庫３２と、制御基板３４と、表示器３６と、駐車券８０および領収書８１ａ，８１ｂを印刷して発行するプリンタ４０とを有するように構成されている。それら部品のうち、硬貨処理ユニット３０のみが、扉２４の背面に取り付けられ、残りの部品は、ケーシング２２の内部に取り付けられている。
【００５１】
図３に示すように、プリンタ４０には、印刷前の連続シートが巻き付けられて収容されるローラ４２が装着されている。プリンタ４０は、そのローラ４２から１枚分の長さずつ送り込まれる連続シートに対して印刷を行う。プリンタ４０は、その印刷終了後、連続シートを随時、カッタ（図示しない）によってカットしてその連続シートから、前払い駐車料金の支払い後には駐車券８０と領収書８１ａとの２枚綴り、追加駐車料金の支払い後には１枚分の領収書８１ｂを切り離す。ただし、２枚綴りである駐車券８０と領収書８１ａとの間に、図７（ａ）に示すように、切取り線８９が形成されており、ユーザは、その切取り線８９に沿って、それら駐車券８０と領収書８１ａを簡単に互いに切り離すことが可能である。
【００５２】
前記カッタは、切刃（図示しない）を有し、その切刃を連続シートの幅方向に移動させて連続シートを幅方向に切断する。また、前記カッタは、連続シートを幅方向に完全に切断する方式を採用したり、幅方向における一部のみ残して連続シートを幅方向に切断する方式を採用することが可能である。
【００５３】
図２および図４に示すように、硬貨処理ユニット３０は、硬貨投入口５０と、返却レバー５２と、硬貨セレクタ（投入された硬貨の種類の判別と、投入された硬貨が偽造硬貨でないか否かの判別とを行う）５４と、硬貨返却口５６とを有する。投入された硬貨のうち、硬貨返却口５６からユーザに返却されなかったものは、金庫３２に収容される。図４に示すように、硬貨セレクタ５４に制御基板３４がデータ通信可能に接続されており、その制御基板３４は、硬貨セレクタ５４から、投入された硬貨の種類（硬貨の単位と、偽造硬貨であるか否かの情報とを含む）と枚数を表す信号を受信する。
【００５４】
図２に示すように、扉２４の前面には、表示器３６（例えば、液晶ディスプレイ）の画面からの表示光が透過する透過窓６０と、硬貨投入口５０、返却レバー５２および硬貨返却口５６と、プリンタ４０によって印刷されて排出される駐車券８０および領収書８１ａ，８１ｂを排出するための排出口６４とが配置されている。透過窓６０は、外部から表示器３６への直接アクセスを阻止することによって表示器３６を機械的に保護する機能も有する。
【００５５】
発券機２０は、さらに、ユーザが前払い駐車料金を支払った後に押される前述の発券ボタン７０と、ユーザが追加駐車料金を支払った後に押される前述の料金精算ボタン７４とを有するように構成されている。それら発券ボタン７０および料金精算ボタン７４は、図２に示すように、発券機２０の扉２４の前面に装着されている。それら発券ボタン７０および料金精算ボタン７４は、図４に示すように、制御基板３４に電気的に接続されている。
【００５６】
それら発券ボタン７０および料金精算ボタン７４は、いずれも、実在する物理的なスイッチとして構成されているが、これに限定されず、例えば、表示器３６の画面上に表示される仮想的なスイッチ（例えば、ボタン、キー、アイコン）として構成してもよい。
【００５７】
制御基板３４は、コンピュータ１００を主体として構成されている。この制御基板３４は、時計１０２を内蔵しており、常に現在日時（例えば、発券ボタン７０が押された日時、料金精算ボタン７４が押された日時）を取得可能となっている。この制御基板３４は、さらに、メモリ１０４を内蔵している。そのメモリ１０４には、後述の暗号化テーブルが、権限を有する者のみが書き換え可能である状態で保存されている。
【００５８】
なお付言するに、制御基板３４は、コンピュータ１００と同じ機能をシーケンサ（シーケンス制御）によって実現する形式とすることが可能である。
【００５９】
さらに付言するに、発券機２０は、図示しないが、電源ユニットを有している。その電源ユニットは、電源（例えば、商用電源、駐車場１０に設置された太陽電池、風力発電機等の発電機、駐車場１０に設置された充電可能なバッテリであって、商用電源や発電機によって充電されるものなど）を有し、その電源からの電力を発券機２０内の各電気・電子部品に供給し、それにより、発券機２０を作動させる。この電源ユニットは、例えば、蓄電機能を有するバックアップ回路を追加的に有し、上記電源からの電力供給が一時的に停止しても、その影響が発券機２０の作動に及ばないようにされる。これにより、発券機２０は、常時作動することが保証される。
【００６０】
図５に示す発券・精算プログラムがコンピュータ１００によって実行されると、まず、ステップＳ１において、図６（ａ）に示す初期画面が表示器３６の画面上に表示される。次に、ステップＳ２において、硬貨セレクタ５４からの信号に基づき、ユーザによる硬貨の投入があったか否かが判定される。硬貨が未投入であると、ステップＳ２に戻るが、硬貨の投入があると、ステップＳ３において、それまでにユーザが投入した硬貨の合計金額が投入金額として計算される。
【００６１】
続いて、ステップＳ４において、その計算された投入金額から、その投入金額に見合った駐車時間が駐車時間（今回支払われた駐車料金が前払い駐車料金である場合には、有効駐車時間を意味する一方、今回支払われた駐車料金が追加駐車料金である場合には、延長駐車時間を意味する）として計算される。投入金額と駐車時間の長さとの関係、すなわち、時間単位の料金設定は、コンピュータ１００にとって既知であるから、コンピュータ１００は、その料金設定に従い、投入金額から駐車時間を計算することができる。料金設定については、例えば、駐車場管理者が、表示器３６のタッチパネルを操作することにより、各時間単位で個別に入力することが可能である。
【００６２】
上記料金設定の一例によれば、連続駐車時間が２時間までは３００円、４時間までは４００円であり、６時間までは５００円、１２時間までは１０００円、２４時間までは１５００円である。この例の料金設定のもとでは、例えば、図７に示す例のように、ユーザが４００円を前払い駐車料金として支払うと、コンピュータ１００は、４時間を有効駐車時間として計算することになる。また、ユーザが３００円を追加駐車料金として支払うと、２時間を延長駐車時間として計算することになる。
【００６３】
その後、ステップＳ５において、図６（ｂ）に示す硬貨投入中画面が表示器３６の画面上に表示される。このとき、前記計算された投入金額および駐車時間（有効駐車時間または延長駐車時間）の長さが表示される。
【００６４】
続いて、ステップＳ６において、発券ボタン７０が押されたか否かが判定される。発券ボタン７０が未だ押されていない場合には、ステップＳ７において、料金精算ボタン７４が押されたか否かが判定される。料金精算ボタン７４も未だ押されていない場合には、ステップＳ２に戻る。
【００６５】
硬貨投入開始後、発券ボタン７０と料金精算ボタン７４とのいずれかが押されるまで、ステップＳ２−Ｓ７の実行が反復される。その結果、ユーザが硬貨を硬貨投入口５０に投入するごとに、投入開始時から現時点までにユーザが投入した硬貨の合計金額を投入金額として計算することと、その計算された投入金額から、その投入金額に見合った駐車時間を計算することと、前記計算された投入金額および駐車時間（有効駐車時間または延長駐車時間）を表示器３６の画面上に表示することとが行われる。
【００６６】
発券ボタン７０が押されると、ステップＳ８において、図６（ｃ）に示す駐車券／領収書発行画面が表示器３６の画面上に表示される。このとき、ユーザによる発券ボタン７０の操作によって確定された駐車料金の額が、前払い駐車料金の額として表示される。この場合には、先行するステップＳ４において計算された駐車時間は、有効駐車時間を意味することになる。
【００６７】
続いて、ステップＳ９において、ユーザが駐車場１０に入庫した入庫時刻（またはユーザが前払い駐車料金を支払った日時、駐車券８０を発券した時刻、駐車時間の開始時刻など）および前記有効駐車時間の長さ（またはユーザが支払った前払い駐車料金の額など）を表す実データであってユーザが直接的に解読可能であるものが、前記暗号化テーブルを参照することにより、ユーザが解読することはできないが一義的に発音することはできる暗号データ１３０に変換される。暗号化が行われるのであり、これにより、暗号データ１３０が作成される。
【００６８】
本実施形態においては、暗号データ１３０が、図１１（ａ）に示すように、一列に並んだ９桁（それより多い桁数としても、それより少ない桁数としてもよい。）の記号で定義されている。各桁の記号は、例えば、０から９までの１０個の数字と複数のアルファベットとのうちのいずれかとして選択される。その複数桁の記号は、複数のグループに分割されて領収書８１ａ上に印刷され、隣接するグループ同士がハイフンでつながれており、これにより、ユーザは、複数桁の記号を、一息で一気に発音するのではなく、いくつかの区切りを入れて、より楽にかつ正確に発音できるようになっている。
【００６９】
実データの一般的な構成の一例（実データの桁数削減のため、西暦の表記を省略した）は、図１１（ｂ）に示すように、「ＭＭ月ＤＤ日のｈｈ時ｍｍ分に入庫し、有効駐車時間の長さは、ＴＴ時間である。」というデータである。この実データは、図１１（ｃ）に示すように、月を表す数字ＭＭと、日を表す数字ＤＤと、時刻のうちの時間を表す数字ｈｈと、時刻のうちの分を表す数字ｍｍと、駐車時間（該当する領収書が前払い用である場合には、有効駐車時間を意味する一方、該当する領収書が追加駐車料金用である場合には、延長駐車時間を意味する）の長さを表す数字ＴＴという、５つの要素を有している。
【００７０】
前記暗号化テーブルは、図１１（ｃ）に示すように、月を表す数字ＭＭを暗号化するために参照される月単位暗号化テーブルと、日を表す数字ＤＤを暗号化するために参照される日単位暗号化テーブルと、時刻のうちの時間を表す数字ｈｈを暗号化するために参照される時間単位暗号化テーブルと、時刻のうちの分を表す数字ｍｍを暗号化するために参照される分単位暗号化テーブルと、駐車時間の長さを表す数字ＴＴを暗号化するために参照される時間用暗号化テーブルとを有する。上述の５つの要素は、それぞれ、対応する暗号化テーブルを参照することにより、暗号化され、それにより、９桁の暗号データ１３０が作成される。
【００７１】
本実施形態においては、暗号化テーブルが、毎日、更新されるが、２４時間より長い期間が経過するごとに更新する方式（同じ期間内においては、暗号化テーブルは更新されない）を採用したり、２４時間より長い期間を１周期として、同じ周期内においては、毎日、暗号化テーブルを更新する方式（ある周期内の期間と、別の周期内の期間との間では、暗号化テーブルが日々更新されるパターンが共通する）を採用することが可能である。
【００７２】
一例においては、メモリ１０４において、暗号化テーブルが毎日更新される場合に、一月分の暗号化テーブルである暗号化テーブルセットが一月ごとに更新される。この場合、暗号化テーブルセットは、例えば、毎月、管理者が駐車場１０に出向くごとに、管理者によって更新される。
【００７３】
また、一例においては、前述の５つの要素ＭＭ，ＤＤ，ｈｈ，ｍｍおよびＴＴのそれぞれにつき、暗号化テーブルにおける実データと暗号化データとの関係、すなわち、暗号化前の数字（例えば、「２月」を表す「２」）と暗号化後の符号との間の対応関係が、暗号化前の各数字ごとに乱数を発生させ、その乱数を暗号化後の符号として採用することにより、生成される。
【００７４】
図５に示すステップＳ９において暗号化が終了すると、ステップＳ１０において、駐車券８０および領収書８１ａがプリンタ４０によって印刷されて発行される。領収書８１ａには、図７（ａ）に示すように、駐車料金の支払いまたは駐車時間に関する日時と金額と駐車時間の長さとのうちの少なくとも一つに関する同じ情報が、ユーザが解読できる実データと、ユーザが解読できない暗号データ１３０との双方として印刷されるのである。以上で、この発券・精算プログラムの今回の実行が終了する。
【００７５】
具体的には、図７（ａ）に示すように、駐車券８０には、ユーザが支払った前払い駐車料金の額に見合った有効駐車時間の終了時刻と、駐車場１０の場所を特定するための表示とが印刷される。また、領収書８１ａには、入庫時刻と、ユーザが支払った前払い駐車料金の額と、前記有効駐車時間の終了時刻と、駐車場１０の場所を特定するための表示とが印刷される。領収書８１ａには、さらに、「ＡＢＣ−ＤＥＦ−ＡＢＣ」で例示された暗号データ１３０も併せて印刷される。この暗号データ１３０は、図１１（ｂ）に文章化して示すように、前記入庫時刻（これは、前払い駐車料金を支払った時刻とも、駐車時間の開始時刻とも、駐車券８０および領収書８１ａが発券された時刻とも等価である。）と前記有効駐車時間の長さ（これは、支払った前払い駐車料金の額と等価である。）とを表す実データが暗号化されたものである。
【００７６】
これに対し、発券ボタン７０に代えて料金精算ボタン７４が押されると、ステップＳ１１において、図６（ｄ）に示す精算領収書発行画面が表示器３６の画面上に表示される。このとき、ユーザによる料金精算ボタン７４の操作によって確定された駐車料金の額が、追加駐車料金の額として表示される。この場合には、先行するステップＳ４において計算された駐車時間は、延長駐車時間を意味することになる。
【００７７】
続いて、ステップＳ１２において、ステップＳ９と同様にして、ユーザが追加駐車料金を支払ったために領収書８１ｂが発券された時刻（これは、追加駐車料金を支払った時刻と等価である。）と前記延長駐車時間の長さ（これは、支払った追加駐車料金の額と等価である。）とを表す実データが、前記暗号化テーブルを参照することにより、暗号データ１４０に変換される。
【００７８】
その後、ステップＳ１３において、領収書８１ｂがプリンタ４０によって印刷されて発行される。領収書８１ｂには、図７（ｂ）に示すように、駐車料金の支払いまたは駐車時間に関する日時と金額と駐車時間の長さとのうちの少なくとも一つに関する同じ情報が、ユーザが解読できる実データと、ユーザが解読できない暗号データ１４０との双方として印刷されるのである。以上で、この発券・精算プログラムの今回の実行が終了する。
【００７９】
具体的には、図７（ｂ）に示すように、領収書８１ｂには、領収書８１ｂが発券された日時と、前記追加駐車料金の額と、駐車場１０の場所を特定するための表示とが印刷される。
【００８０】
さらに、領収書８１ｂには、「１２３−４５６−７８９」で例示された暗号データ１４０も併せて印刷される。この暗号データ１４０は、領収書８１ｂが発券された日時と前記延長駐車時間の長さとを表す実データが暗号化されたものである。
【００８１】
図７（ａ）には、駐車券８０および領収書８１ａの２枚綴りが正面図で示される一方、図７（ｂ）には、領収書８１ｂが正面図で示されている。駐車券８０および領収書８１ａの２枚綴りは、駐車券８０の２枚分に相当し、その２枚綴りにおいては、駐車券８０と領収書８１ａとは、サイズも構成も、互いに共通する。また、領収書８１ｂは、駐車券８０の１枚分に相当し、駐車券８０に対し、サイズも構成も共通する。以下、説明を簡単にするために、駐車券８０の構成のみを代表的に説明する。
【００８２】
駐車券８０は、表層としての表示シート（印刷用紙）８２と、中間層としての粘着層８３（糊の層）と、裏層としてのセパレータ（分離シート、剥離紙）８４とがそれらの順に積層されて構成されている。粘着層８３は、表示シート８２の裏面に、容易には剥離しないように、塗布されており、表示シート８２をセパレータ８４の表面から剥がした状態では、粘着層８３の糊は、セパレータ８４の表面には付着しない。
【００８３】
図７（ａ）に示すように、１枚分の駐車券８０においては、表示シート８２の外周が、セパレータ８４の外周より内側に位置するようになっている。ローラ４２に巻き付けられる原反は、連続したセパレータ８４に、隙間を隔てて一列に並んだ複数枚の表示シート８２（空白の状態）が接着されて構成されている。
【００８４】
プリンタ４０における連続シート（連続したセパレータ８４）は、前記カッタにより切断され、その切断は、表示シート８２間の隙間の位置において行われ、表示シート８２に対する切断は行われない。一方、セパレータ８４のうち、表示シート８２間の隙間において露出する部分の表面には糊が付着していない。
【００８５】
したがって、本実施形態によれば、連続シートの切断時に、前記切刃に粘着層８３の糊が付着せずに済み、一日に１回または数回、現場に派遣される管理者（例えば、サービス担当者、複数の駐車場を巡回して作業する作業者、見回りの監視員）による前記カッタのメンテナンスの頻度が減少し、ひいては、管理者にかかる人件費が低減される。
【００８６】
ただし、本実施形態においては、領収書８１ｂについては、前記カッタにより、セパレータ８４が１枚分の長さで完全に切断されるのに対し、前記２枚綴りについては、セパレータ８４が２枚分の長さで完全に切断される。ただし、前述のように、前記２枚綴りについては、図７（ａ）に示すように、前記カッタにより、セパレータ８４が、駐車券８０と領収書８１ａとの間において、部分的に切断され、それにより、切取り線８９が形成される。
【００８７】
図７（ａ）に示すように、駐車券８０の表示シート８２には、さらに、「駐車券」という文字列のすぐ上方に、両端を有する（閉じていない）切断線９０が存在する。その切断線９０は、ユーザが、表示シート８２のうちの一部を、残りの部分はセパレータ８４に接着されたままで、セパレータ８４から剥がすことを可能にするために存在する。図８（ｂ）に示すように、ユーザが、表示シート８２の一部（切断線９０によって包囲される領域）をセパレータ８４から剥がして、切断線９０の両端をつなぐ直線に沿って折り曲げると、その結果形成される折曲げ部９２の表面（粘着層８３のうち、その折曲げ部９２の裏面に塗布されている部分）が、糊面として露出する。図９（ａ）には、その折曲げ部９２が斜視図で示されている。
【００８８】
本実施形態においては、ユーザによる駐車が不正駐車ではないことを証明するために、ユーザは、硬貨投入と引き換えに受領した駐車券８０を、図９（ｂ）に示すように、駐車車両のフロントガラス１１０の裏面に貼付することを要求される。そのため、ユーザは、図９（ａ）に示すように、駐車券８０のうちの指定箇所（切断線９０によって包囲された領域であって、最終的に折曲げ部９２となる部分）を局部的に剥がして折り曲げたうえで、その折曲げ部９２の表面を、図９（ｂ）に示すように、駐車車両のフロントガラス１１０の裏面に貼付する。これにより、図１０に示すように、駐車券８０の内容（特に、ユーザに対して許可された駐車時間帯の終了時刻を特定するための情報と、この駐車券８０が有効である駐車場１０の場所を特定するための表示）を、外部からいつでも目視することが可能となる。
【００８９】
ユーザは、実際に駐車した時間が前記有効駐車時間を超過した場合には、追加駐車料金を支払うことを要求される。しかし、駐車場１０は、前述のように、無人式であり、かつ、必要な追加駐車料金を支払わない限り駐車車両の出庫を阻止する装置を有しないため、図１２に示すように、ユーザは、必要な追加駐車料金を支払った事実を、駐車場１０、車内、自宅などの場所から、携帯電話機や固定電話機などの通信機器により、遠隔地にある管理センタに居る駐車場管理者に通知することを要求される。
【００９０】
この際、ユーザは、入庫時に発行された領収書８１ａに印刷されている暗号データ１３０と、出庫時に発行された領収書８１ｂに印刷されている暗号データ１４０との双方を読み上げて音声を発し、その音声を、上記通信機器により、駐車場管理者に送信することを要求される。
【００９１】
ユーザが発した、暗号データ１３０，１４０を表す音声を受信すると、前記管理センタに居る駐車場管理者は、暗号解読器１８０の入力装置（例えば、キーボード、タッチスクリーン、マウスなど）を操作して、ユーザの音声に対応する記号を入力する。暗号データ１３０，１４０を入力するのであり、すると、暗号解読器１８０は、その入力された暗号データ１３０，１４０を、前記暗号化テーブルに適合する暗号解読テーブルであって暗号解読器１８０に搭載されたものに従い、実データに復元する。
【００９２】
これにより、駐車場管理者は、管理対象である駐車場１０から場所的に離れた前記管理センタに居ながらにして、ユーザが実際に駐車していた時間である実際駐車時間の長さ（例えば、暗号データ１３０により特定される入庫時刻から、暗号データ１４０により特定される、追加駐車料金を支払った時刻までの経過時間の長さ）を知ることができ、さらに、ユーザが支払った駐車料金の合計額（例えば、暗号データ１３０により特定される前払い駐車料金の額と、暗号データ１４０により特定される追加駐車料金の額との和）を知ることもでき、ひいては、その駐車料金の合計額が、前記実際駐車時間の長さとの関係で不足していないか否かを正しく判断することができる。
【００９３】
暗号解読器１８０に収容されている暗号解読テーブルは、駐車場管理者といえども、権限を有しない限り、知ることができないようになっているため、暗号解読テーブルに対するセキュリティが高い。
【００９４】
以上の説明から明らかなように、本実施形態によれば、領収書８１ａおよび８１ｂを発行する時点で、領収書８１ａおよび８１ｂのそれぞれに暗号データ１３０，１４０を、ユーザが発音可能である記号で印刷し、さらに、その暗号データ１３０，１４０を音声で駐車場管理者に送信することをユーザに要求するだけで、駐車管理者は、駐車料金の不足の有無を正しく判断できる。よって、ユーザは、大きな負担を課されることなく、前記有効駐車時間を超過した駐車を安心して行うことが可能となり、駐車場１０の使い勝手ひいては稼動率が向上する。
【００９５】
なお付言するに、本実施形態においては、ユーザが、暗号データ１３０および１４０の送信を、音声入力によって行うが、例えば、その音声入力に代えて、データ入力（例えば、実在するかまたは仮想的なキーを用いたキー入力、イメージリーダを用いた画像入力）によって行うことが可能である。
【００９６】
以上、通常駐車を説明したが、次に、カードレス駐車を説明する。
【００９７】
前述の説明から明らかなように、本実施形態においては、駐車場１０も発券機２０も、各ユーザが駐車場１０に対して入庫・出庫を行った事実を検出する設備を有しない。また、カードレス駐車の場合には、後に詳述するように、ユーザは、自身の通信機器（例えば、携帯電話機やスマートホン）を用いて、自身の電子駐車券を利用した駐車を開始することを要求するためのメッセージを駐車場管理者に対して送信するが、そのときにユーザが実際に駐車場１０に駐車しているという事実を駐車場１０も発券機２０も検出できないし、ユーザが単に自身の通信機器を用いただけで、例えば、その通信機器のＧＰＳ機能を利用するなどしない限り、ユーザが実際に駐車場１０に入庫したという事実を検出できない。
【００９８】
これに対し、本実施形態においては、発券機２０が、図１３（ｂ）に示すように、時計１０２によって計測された現在時刻を実データとして、その実データを時刻用暗号化テーブル（発券機２０のメモリ１０４に記憶されている）を用いることによって暗号化し、それにより、暗号データとしての時刻コード１９０を取得するように設計されている。その時刻コード１９０は、ユーザは解読できないが駐車場管理者は解読できるもの（例えば、暗号コード１３０，１４０と同様に、ユーザが解読することはできないが一義的に発音することはできるもの）である。
【００９９】
一例においては、図１３（ｃ）に示すように、時刻コード１９０が、時間離散的に、すなわち、設定時間間隔（例えば、１５分）ごとに更新される。
【０１００】
発券機２０は、さらに、図１３（ａ）に示すように、その時刻コード１９０を、表示器３６の画面上に、時間の経過につれて逐次更新される状態で表示するように設計されている。
【０１０１】
発券機２０は、さらに、図１３（ａ）に示すように、表示器３６の画面上に、時刻コード１９０と一緒に、駐車場１０に固有の場所コード１９２であって駐車場１０の位置を特定可能であるものを表示するように設計されている。
【０１０２】
図１４には、時刻コード１９０および場所コード１９２の表示を行うために発券機２０のコンピュータ１００によって実行されるコード表示プログラムが概念的にフローチャートで表されている。このコード表示プログラムは、発券機２０の作動中、繰り返し実行される。
【０１０３】
このコード表示プログラムの各回の実行時においては、まず、ステップＳ３１において、時計１０２によって現在時刻が計測される。次に、ステップＳ３２において、その計測された現在時刻が、前記時刻用暗号化テーブルを参照することにより、時刻コード１９０に暗号化される。続いて、ステップＳ３３において、その生成された時刻コード１９０と、メモリ１０４に記憶されている場所コード１９２とが、表示器３６の画面上に表示される。以上で、このコード表示プログラムの今回の実行が終了する。
【０１０４】
このコード表示プログラムの反復的実行により、時刻コード１９０および場所コード１９２が、表示器３６の画面上に、図１３（ａ）に例示するように、図６に例示するように同じ画面上に表示されるメッセージを覆い隠してしまうことがない位置に、常時表示される。
【０１０５】
ここで、時刻コード１９０について詳述するに、時刻コード１９０は、同じ日のうち、時刻が異なると、異なるように生成されるため、時間依存性を有する。
【０１０６】
さらに、時刻コード１９０は、駐車場１０のいずれのユーザによっても解読できないように生成されるため、ユーザが、実際にはいずれの時刻にも駐車場１０に入庫または出庫していないにもかかわらず、または、実際には別の時刻に駐車場１０に入庫または出庫したにもかかわらず、ある時刻に駐車場１０に入庫または出庫したユーザになりすまそうとして、そのある時刻に表示器３６が表示しているはずの時刻コード１９０をユーザが予想しようとしても、ユーザは真正な時刻コード１９０を取得し得ない。よって、時刻コード１９０は、ユーザに対する秘匿性をも有する。
【０１０７】
さらに、時刻コード１９０は、ユーザが実際に駐車しようとしているか、または駐車している駐車場１０の表示器３６においてしか表示されず、そのため、ユーザは、必要な時刻コード１９０を取得するために、駐車場１０という現場に行かなければならない。よって、時刻コード１９０は、場所依存性を有する。
【０１０８】
このように、時刻コード１９０は、時間依存性と、ユーザに対する秘匿性と、場所依存性とを有し、よって、ユーザが、駐車場１０において実際に見た時刻コード１９０を、それが表示器３６に表示されていた時刻から大きく遅れない時刻（設定許容範囲内にある時刻）に管理サーバ２０２に送信する限り、その時刻コード１９０は、ユーザが実際に駐車場１０に入庫または出庫した事実を裏付けるための有力な証拠となる。
【０１０９】
ここで、前記時刻用暗号化テーブルについて詳述するに、時刻用暗号化テーブルは、図１１に示す暗号化テーブルと同様に、定期的に、例えば、毎日、更新される。これにより、日にちが異なると、時刻が同じでも、時刻コード１９０が異なる可能性が高くなり、その結果、時刻コード１９０の悪用が防止される。
【０１１０】
同じ駐車場管理者が複数の駐車場（駐車場１０を含む）を管理していて、それら駐車場のそれぞれにおいて時刻コード１９０が表示されるようになっている例示的なシナリオにおいては、時刻コード１９０は、時刻が同じであっても駐車場の場所が異なると異なるように生成されることが望ましい。この望ましい態様においては、駐車場１０に表示される時刻コード１９０は、場所識別力を有する。
【０１１１】
ここに、「場所識別力」という用語は、時刻コード１９０が、場所によって異なるという特徴のみで、時刻コード１９０から場所を一義的に特定できるという特徴までは意味しないように定義される場合もあれば、場所によって異なるという特徴のみならず、時刻コード１９０から場所を一義的に特定できるという特徴をも意味するように定義される場合もある。
【０１１２】
ただし、本実施形態においては、管理サーバ２０２が、ユーザから受信した情報から、ユーザが利用している駐車場１０の場所を特定するために、時刻コード１９０は、場所識別力を有しなくてもよい。なぜなら、本実施形態においては、時刻コード１９０と一緒に、場所識別力を有する場所コード１９２も、駐車場１０に居るユーザに表示されるからである。
【０１１３】
したがって、ユーザがこれから利用しようとしている駐車場１０にとって正しい時刻コード１９０は、ユーザが実際にその駐車場１０に居て表示器３６の画面を観察しない限り、取得することができない。よって、ユーザが、入庫時に、観察した時刻コード１９０を場所コード１９２と一緒に、遠隔地にいる駐車場管理者に送信するようにすれば、駐車場管理者は、いずれの駐車場１０に、いずれの時刻に入庫したのかを推定することが可能となる。
【０１１４】
具体的には、時刻コード１９０および場所コード１９２は、ユーザにより、入庫時に、自身の通信機器を介して駐車場管理者に対して通信される。それら時刻コード１９０および場所コード１９２を受信すると、駐車場管理者は、前記時刻用暗号化テーブルに適合する暗号解読テーブル２３４（図１５参照）を参照することにより、時刻コード１９０を実データである現在時刻に変換する。駐車場管理者は、受信した場所コード１９２を用いることにより、ユーザが実際に、場所コード１９２によって特定される駐車場１０に入庫したという事実を推定できる。
【０１１５】
駐車場管理者は、さらに、時刻コード１９０の暗号解読によって取得された現在時刻（例えば、ユーザが表示器３６を観察した観察時刻）と、駐車場管理者によって計測された現在時刻（駐車場管理者が時刻コード１９０を受信した受信時刻）との差が設定許容範囲（例えば、３０分）内である場合に、ユーザが実際に、時刻コード１９０の暗号解読によって取得された現在時刻（図１３（ｃ）に例示するように、時間幅がある場合には、その時間幅のうち、最も早い時刻）と、駐車場管理者によって計測された現在時刻との間のいずれかの時刻にユーザが駐車場１０に入庫した（駐車場１０での駐車が開始された）という事実を推定できる。
【０１１６】
これに対し、駐車場管理者が、受信した時刻コード１９０を正常に暗号解読できないか、または、正常に暗号解読できたとしても、それによって取得された現在時刻と、駐車場管理者によって計測された現在時刻との差が前記設定許容範囲を超えていると判断した場合には、ユーザが駐車場管理者に対して送信した時刻コード１９０が、発券機２０において時刻コード１９０として存在しないか、または、存在するとしても、ユーザが時刻コード１９０を駐車場管理者に送信した時刻が、ユーザが表示器３６において時刻コード１９０を観察した時刻よりかなり遅いため、ユーザは、自身の電子駐車券が有効であっても、それを利用した駐車が駐車場管理者によって拒否される。
【０１１７】
なお付言するに、前記設定許容時間の長さを長く設定すれば、ユーザに対し、表示器３６上の時刻コード１９０を観察した時刻と、その時刻コード１９０を駐車場管理者に対して送信する時刻との間の時間的隔たりがある程度長くてもよいことになる。このことは、ユーザに対して許容される送信時刻の選択の幅が増し、ひいては、次のような利点をもたらす。
【０１１８】
すなわち、例えば、ユーザが、自己の車両を駐車場１０に駐車し、その駐車場１０を歩いて出ようとするときに表示器３６上に表示されている時刻コード１９０を記憶し、その後、その駐車場１０から歩いて最寄の駅などに向かい、そして、電車やバスなどの交通機関を利用することが必要である場合に、その交通機関に乗車した後に、時刻コード１９０を思い出して駐車場管理者に対して送信することが許容される。
【０１１９】
そうすると、ユーザにとっては、時間的な余裕の有無にかかわらず、時刻コード１９０を駐車場１０から駐車場管理者に対して送信することを常に要求される場合より、時間的な負担や精神的な負担が減り、ひいては、駐車場１０の使い勝手が向上する。
【０１２０】
以上、発券機２０につき、カードレス駐車を行うために特徴的な要素を詳細に説明したが、以下、図１５ないし図２７を参照することにより、ユーザに対して電子駐車券を発行するサービスの内容を説明する。
【０１２１】
このサービスは、図１５に示すシステム２００において、管理サーバ２０２が、本実施形態に従う例示的な駐車場管理方法を実施することによって提供される。
【０１２２】
システム２００においては、複数人のユーザと、駐車場管理者の指示に従って作業を行う複数人の担当者（各担当者は、駐車場管理者が管理している駐車場１０および他の複数の駐車場を、一日のうち数回、巡回して監視する任務を有する）とが、無線または有線により、グローバルな通信ネットワークの一例であるインターネット２０４を介して管理サーバ２０２に通信可能に接続されている。
【０１２３】
管理サーバ２０２は、送受信を行うために、信号またはデータを外部の宛先に送信する送信部２１０と、外部の送信元からの信号またはデータを受信する受信部２１２とを有する。
【０１２４】
管理サーバ２０２は、さらに、プロセッサ２２０と、ストレージ２２２（例えば、ＲＯＭ、ＲＡＭ）とを有する。プロセッサ２２０は、前記サービスを提供するために、電子駐車券処理プログラムであって図１６ないし図１８にフローチャートで例示的にかつ概念的に表されているものを実行したり、各種処理を行う。ストレージ２２２は、上記電子駐車券処理プログラムやデータを一時的にまたは恒久的に保存する。
【０１２５】
管理サーバ２０２は、さらに、図１９に例示する会員データベース（以下、「ＤＢ」で表す。図においても同じ。）２３０と、図２０に例示する電子駐車券データベース（以下、「ＤＢ」で表す。図においても同じ。）２３２と、前記暗号解読テーブル２３４とを有する。
【０１２６】
なお付言するに、管理サーバ２０２は、図示しないが、発券機２０と同様に、現在時刻を計測する時計を内部に有するか、または、外部時計の計測結果を利用可能となっている。
【０１２７】
このサービスの内容をまず概略的に説明するに、このサービスによれば、ユーザからの発行リクエストに応答し、所定の額の駐車料金をユーザが前払いすることを条件に、管理サーバ２００がユーザに対して、図２１に例示される電子駐車券２５０を発行する。ユーザが、その発行された電子駐車券２５０を利用した駐車場１０への駐車をこれから行う場合に、駐車許可リクエストと、駐車場１０への入庫時に表示器３６に表示されている時刻コード１９０とを管理サーバ２０２に送信すると、管理サーバ２０２は、その受信した時刻コード１９０を暗号解読テーブル２３４を参照して解読し、その解読結果に基づき、受信した時刻コード１９０によって表される入庫時刻が、管理サーバ２０２がその時刻コード１９０を受信した受信時刻に対して決まる所定許容範囲内にあるか否かを判定し、それにより、受信した時刻コード１９０が妥当であるか否かを判定する。
【０１２８】
受信した時刻コード１９０が妥当であると判定された場合に、管理サーバ２０２は、ユーザによる駐車場１０の利用を許可するとともに、そのことを表す駐車許可メッセージをユーザに送信する。
【０１２９】
［会員登録］
【０１３０】
より具体的に説明するに、このサービスにおいては、電子駐車券２５０の利用資格を取得するために、ユーザを会員として登録する工程と、電子駐車券２５０をユーザに対して発行する工程と、駐車開始時にユーザによる電子駐車券２５０の利用を許可する工程と、ユーザが延長駐車を行った場合に限り、駐車終了時に、その延長駐車時間の長さに見合う額の追加駐車料金を電子決済によって支払って精算するための工程とがそれらの順に実施される。
【０１３１】
さらに具体的に説明するに、このサービスにおいては、まず、図２２にシーケンス図で例示するように、ユーザが、管理サーバ２０２にアクセスして会員登録を行う。ユーザが、その会員登録のために必要なユーザ情報を管理サーバ２０２に送信すると、管理サーバ２０２は、受信したユーザ情報を、ユーザごとに、図１９に例示した会員ＤＢ２３０に登録する。
【０１３２】
［電子駐車券の発行］
【０１３３】
次に、ユーザは、電子駐車券２５０の発行を駐車場管理者に対して要求するために、図２３にシーケンス図で例示するように、管理サーバ２０２にアクセスする。その後、ユーザは、ユーザＩＤおよび暗証番号を管理サーバ２０２に送信し、その後、管理サーバ２０２は個人認証を行う。続いて、ユーザは、獲得したいポイント数を管理サーバ２０２に送信し、管理サーバ２０２は、そのポイント数を獲得するために必要な料金を計算する。その料金をユーザが支払うと、管理サーバ２０２は、発行すべき電子駐車券２５０に固有のチケット番号を付与し、さらに、有効ポイント数を付与し、それらの情報を図２０に例示するように、電子駐車券ＤＢ２３２に登録する。その後、管理サーバ２０２は、ユーザに対して、図２１に例示する電子駐車券２５０を発行する。
【０１３４】
［電子駐車券の利用許可］
【０１３５】
その後、ユーザは、駐車場１０への入庫時に、発行された電子駐車券２５０を利用して駐車場１０への駐車を開始するために、図２４にシーケンス図で例示するように、管理サーバ２０２にアクセスする。その後、ユーザは、今回利用したい電子駐車券２５０に割り当てられた固有のチケット番号を管理サーバ２０２に送信し、管理サーバ２０２は、その電子駐車券２５０の有効性を確認する。続いて、ユーザは、表示器３６に表示されている時刻コード１９０および場所コード１９２を管理サーバ２０２に送信する。管理サーバ２０２は、その受信した時刻コード１９０の暗号解読により、ユーザの入庫時刻を推定し、それと、管理サーバ２０２によって計測される現在時刻との比較により、推定された入庫時刻の妥当性を確認する。
【０１３６】
その後、ユーザは、駐車条件を管理サーバ２０２に送信する。その駐車条件は、ユーザが、これから、駐車場１０に駐車したい時間の長さを含んでいる。続いて、管理サーバ２０２は、その駐車時間をユーザに許可するために必要な使用ポイント数を計算する。管理サーバ２０２は、さらに、現在の有効ポイント数からその使用ポイント数を減算することにより、残存ポイント数を計算し、その残存ポイント数が０でないことを確認すると、ユーザに許可される有効駐車時間の長さを計算する。その後、管理サーバ２０２は、図２５に例示する領収書２６０を発行し、それをユーザに送信する。
【０１３７】
本実施形態においては、ユーザに対し、入庫時に、予定出庫時刻（予定駐車時間の長さと等価である）を指定することが要求され、そのうえで、有効ポイント数が減算されることに注目すると、今回の駐車は、前払い駐車に分類されると考えることが可能である。また、図２５に示すように、領収書２６０には、ユーザに許可された有効駐車時間の長さが、その有効駐車時間の終了時刻と共に記載される。よって、ユーザは、その領収書２６０を見れば、何時までに出庫しなければならないのかを知ることができる。
【０１３８】
図２４において下部に示すように、今回のユーザに駐車を許可した事実は、ユーザ本人のみならず、前述の複数人の担当者にも連絡される。担当者への連絡は、管理サーバ２０２が、駐車の許可に関する情報を記載した電子メールを、担当者ごとに個別に発信する方式（能動的連絡）によって行ったり、管理サーバ２０２の、閲覧できる者が限定されるホームページ（業者専用ホームページ）上に、駐車の許可に関する情報を掲示し、そのホームページへの担当者からの個別のアクセスにより、駐車の許可に関する情報を担当者に連絡する方式（受動的連絡）によって行ってもよい。
【０１３９】
［延長駐車時の追加料金の精算］
【０１４０】
ユーザによる実際の連続駐車時間の長さが上述の有効駐車時間の長さ（前記使用ポイントの消費の代償としてユーザに入庫時に許可した連続駐車時間）を超過した場合、すなわち、延長駐車を行った場合には、ユーザは、駐車場１０からの出庫時に、図２６にシーケンス図で例示するように、管理サーバ２０２にアクセスする。
【０１４１】
その後、ユーザは、今回利用した電子駐車券２５０に割り当てられた固有のチケット番号を管理サーバ２０２に送信し、管理サーバ２０２は、その電子駐車券２５０の有効性を確認する。続いて、ユーザは、表示器３６に表示されている時刻コード１９０および場所コード１９２を管理サーバ２０２に送信する。管理サーバ２０２は、その受信した時刻コード１９０の暗号解読により、ユーザの出庫時刻を推定し、それと、管理サーバ２０２によって計測される現在時刻との比較により、推定された出庫時刻の妥当性を確認する。
【０１４２】
その後、管理サーバ２０２は、電子駐車券ＤＢ２３２に記録されている有効駐車時間の終了時刻から、前記推定された出庫時刻までに経過した時間の長さを、延長駐車時間の長さとして計算し、さらに、その延長駐車時間の長さに見合う額の追加駐車料金を計算する。管理サーバ２０２は、さらに、その追加駐車料金の額に見合う使用ポイント数を計算し、その使用ポイント数だけ、現在の有効ポイント数を減算することにより、残存ポイント数を計算する。その後、管理サーバ２０２は、精算領収書（図示しない）を発行し、それをユーザに送信する。
【０１４３】
次に、図１６ないし図１８を参照することにより、前記電子駐車券処理プログラムの内容をさらに具体的に説明する。この電子駐車券処理プログラムは、管理サーバ２０２のプロセッサ２２０により、繰り返し実行される。
【０１４４】
上記電子駐車券処理プログラムは、図１６に示す第１サブプログラムと、図１７に示す第２サブプログラムと、図１８に示す第３サブプログラムとを含むように構成されている。第１サブプログラムは、会員登録および電子駐車券の発行を行うための部分であり、第２サブプログラムは、電子駐車券の利用許可を行うための部分であり、第３サブプログラムは、延長駐車時の駐車料金の精算を行うための部分である。
【０１４５】
［会員登録］
【０１４６】
この電子駐車券処理プログラムの各回の実行時においては、まず、図１６のステップＳ１０１において、管理サーバ２０２にログインしたユーザが会員登録リクエストを管理サーバ２０２に対して送信したか否かが判定される。今回は、ユーザが会員登録リクエストを送信したと仮定すると、このステップＳ１０１の判定がＹＥＳとなり、ステップＳ１０２において、ユーザの通信機器から送信されたユーザ本人のユーザ情報（例えば、ユーザの氏名、住所、電子メールアドレスなど）が受信部２１２を介して受信される。
【０１４７】
続いて、ステップＳ１０３において、今回のユーザに対し、固有のユーザＩＤが付与される。その後、ステップＳ１０４において、ユーザの通信機器から送信された、ユーザ本人が設定した暗証番号が受信部２１２を介して受信される。このステップＳ１０４においては、さらに、ユーザの通信機器から追加的に送信された他のユーザ情報（例えば、図１９に例示するように、ユーザが駐車する予定の車両の車両番号、車種名、車体色など）も一緒に、受信部２１２を介して受信される。
【０１４８】
続いて、図１６のステップＳ１０５において、今回のユーザについてのユーザ情報が、会員ＤＢ２３０に登録され、これにより、今回のユーザが会員として登録されたことになる。その後、ステップＳ１０６において、今回のユーザについて会員登録が完了したことを表す登録完了メッセージが送信部２１０を介してユーザに対して返信される。以上で、この電子駐車券処理プログラムの今回の実行が終了する。
【０１４９】
［電子駐車券の発行］
【０１５０】
以上、ユーザから会員登録リクエストを管理サーバ２０２が受信するシナリオを説明したが、それに代えて、電子駐車券発行リクエストを管理サーバ２０２が受信するシナリオにおいては、ステップＳ１０１の判定はＮＯ、ステップＳ１０７の判定はＹＥＳとなり、ステップＳ１０８に移行する。
【０１５１】
このステップＳ１０８においては、ユーザの通信機器から送信されたユーザ本人のユーザＩＤおよび暗証番号と会員ＤＢ２３０との照合により、今回のユーザが会員であるか否か、すなわち、このサービスの提供を受ける資格を有するか否かが判定される。すなわち、個人認証が行われるのであり、この個人認証が成立した場合には、ステップＳ１０９において、ユーザの通信機器から送信された、ユーザが今回獲得したいポイント数を表すデータが受信部２１２を介して受信される。
【０１５２】
その後、ステップＳ１１０において、ユーザが獲得したいポイント数をユーザが獲得しようとするためにユーザが駐車場管理者に対して支払うべき料金（プリペイド料金）が、ポイント数と料金との間に予め定められた関係を表す料金テーブルや関数式を参照することにより、計算される。続いて、ステップＳ１１１において、ユーザが支払うべき料金を表すデータがユーザに送信される。その後、ステップＳ１１２において、ユーザが駐車場管理者に対して電子決済を行う。
【０１５３】
続いて、ステップＳ１１３において、その電子決済が正常に完了したか否かが判定される。ユーザによる電子決済が正常に完了しなかった場合には、ステップＳ１１３の判定がＮＯとなり、ステップＳ１１３ａにおいて、電子駐車券２５０の発行を許可しないことを表す発行不許可メッセージがユーザに対して返信される。以上で、この電子駐車券処理プログラムの今回の実行が終了する。
【０１５４】
これに対し、今回は、ユーザによる電子決済が正常に完了したと仮定すると、ステップＳ１１３の判定がＹＥＳとなり、ステップＳ１１４において、今回のユーザに対して発行されるべき電子駐車券２５０に固有のチケット番号が付与される。その付与されたチケット番号は、図２０に例示するように、ユーザＩＤに関連付けて電子駐車券ＤＢ２３２に登録される。続いて、図１６のステップＳ１１５において、今回のユーザに対して有効ポイント数が付与される。その付与された有効ポイント数は、ステップＳ１１６において、図２０に例示するように、ユーザＩＤに関連付けて電子駐車券ＤＢ２３２に登録される。
【０１５５】
その後、図１６のステップＳ１１７において、図２１に例示するように、電子駐車券２５０が今回のユーザに対して発行され、その電子駐車券２５０を表すデータが送信部２１０から今回のユーザの通信機器に対して送信される。以上で、この電子駐車券処理プログラムの今回の実行が終了する。
【０１５６】
［電子駐車券の利用許可］
【０１５７】
以上、ユーザから電子駐車券発行リクエストを管理サーバ２０２が受信するシナリオを説明したが、それに代えて、電子駐車券利用リクエストを管理サーバ２０２が受信するシナリオにおいては、図１６のステップＳ１０１の判定もＳ１０７の判定もＮＯ、図１７のステップＳ１１８の判定はＹＥＳとなり、ステップＳ１１９に移行する。
【０１５８】
このステップＳ１１９においては、図１６のステップＳ１０８と同様にして、ユーザの通信機器から送信されたユーザ本人のユーザＩＤおよび暗証番号に基づき、個人認証が行われる。この個人認証が成立した場合には、ステップＳ１２０において、ユーザの通信機器から送信された１個のチケット番号であって、ユーザが今回使用したい電子駐車券２５０を特定するためのデータが受信部２１２を介して受信される。
【０１５９】
その後、ステップＳ１２１において、今回のユーザにつき、受信したチケット番号と電子駐車券ＤＢ２３２との照合により、今回のユーザが利用することを希望する電子駐車券２５０が有効であるか否かが判定される。今回の電子駐車券２５０が有効ではない場合には、ステップＳ１２２において、電子駐車券２５０の利用を許可しないことを表す利用不許可メッセージがユーザの通信機器に対して返信される。以上で、この電子駐車券処理プログラムの今回の実行が終了する。
【０１６０】
これに対し、今回は、ユーザが利用することを希望する電子駐車券２５０が有効であると仮定すると、ステップＳ１２３において、ユーザの通信機器から送信された時刻コード１９０および場所コード１９２が受信部２１２を介して受信される。続いて、ステップＳ１２４において、その受信した時刻コード１９０が、暗号解読テーブル２３４を参照して解読される。その後、ステップＳ１２５において、その解読結果に基づき、ユーザの入庫時刻が推定される。続いて、ステップＳ１２６において、その推定された入庫時刻が、管理サーバ２０２が時刻コード１９０を受信した受信時刻に対して決まる所定許容範囲内にあるか否かが判定され、それにより、受信した時刻コード１９０が妥当であるか否かが判定される。
【０１６１】
今回は、受信した時刻コード１９０が妥当ではないと仮定すると、ステップＳ１２６の判定がＮＯとなり、ステップＳ１２２において、ユーザによる電子駐車券２５０の利用（駐車場１０への駐車）を許可しないことを表す利用不許可メッセージがユーザの通信機器に送信される。
【０１６２】
これに対し、今回は、受信した時刻コード１９０が妥当であると仮定すると、ステップＳ１２６の判定がＹＥＳとなり、ステップＳ１２７において、ユーザの通信機器からユーザの希望駐車条件が受信される。その希望駐車条件は、例えば、ユーザが希望する駐車時間の長さを含んでいる。
【０１６３】
続いて、ステップＳ１２８において、その受信した希望駐車条件を実現するために使用される使用ポイント数が計算される。その使用ポイント数は、例えば、ユーザが無料駐車を希望する駐車時間の長さに応じて増加するように、所定の変換テーブルを参照して計算される。その後、ステップＳ１２９において、前記有効ポイント数の現在値から、その計算された今回の使用ポイント数を減算することにより、有効ポイント数が更新される。その有効ポイント数の更新は、電子駐車券ＤＢ２３２に反映される。
【０１６４】
続いて、ステップＳ１３０において、前記受信した希望駐車条件を表すデータに基づき、上記使用ポイント数の消費の代償としてユーザに許可される駐車時間の長さである有効駐車時間が計算される。その後、ステップＳ１３０ａにおいて、電子駐車券２５０を利用した駐車を許可することをユーザに伝える意味も含めて、図２５に例示する領収書２６０が発行される。その発行された領収書２６０を表すデータは、ユーザの通信機器に送信される。
【０１６５】
続いて、ステップＳ１３１において、前記受信した希望駐車条件を担当者全員に連絡するための処理が行われる（例えば、その希望駐車条件を、電子メールによって個別に担当者に連絡するか、その希望駐車条件を、前記業者専用ホームページ上に掲示することによって担当者に連絡する）。以上で、この電子駐車券処理プログラムの今回の実行が終了する。
【０１６６】
［延長駐車時の駐車料金の精算］
【０１６７】
以上、ユーザから電子駐車券利用リクエストを管理サーバ２０２が受信するシナリオを説明したが、それに代えて、延長駐車時精算リクエストを管理サーバ２０２が受信するシナリオにおいては、図１６のステップＳ１０１の判定もＳ１０７の判定もＮＯ、図１７のステップＳ１１８の判定はＮＯとなり、図１８のステップＳ１３２はＹＥＳとなり、ステップＳ１３３に移行する。
【０１６８】
このステップＳ１３３からステップＳ１３８までのステップは、図１７に示すステップＳ１１９からステップＳ１２４までのステップと実行内容が共通するため、重複した説明を省略する。
【０１６９】
図１８のステップＳ１３９において、ステップＳ１３７においてユーザの通信機器から送信された時刻コード１９０の解読結果に基づき、ユーザの出庫時刻が推定される。続いて、ステップＳ１４０において、その推定された出庫時刻が、管理サーバ２０２が時刻コード１９０を受信した受信時刻に対して決まる所定許容範囲内にあるか否かが判定され、それにより、受信した時刻コード１９０が妥当であるか否かが判定される。
【０１７０】
今回は、受信した時刻コード１９０が妥当ではないと仮定すると、ステップＳ１４０の判定がＮＯとなり、ステップＳ１３６において、ユーザによる電子駐車券２５０の利用（駐車場１０への駐車）を許可しないことを表す利用不許可メッセージがユーザの通信機器に送信される。
【０１７１】
これに対し、今回は、受信した時刻コード１９０が妥当であると仮定すると、ステップＳ１４０の判定がＹＥＳとなり、ステップＳ１４１において、推定された出庫時刻から、電子駐車券ＤＢ２３２に記録されている有効駐車時間の終了時刻を引き算することにより、延長駐車時間の長さが計算される。推定された出庫時刻は、図２０に例示するように、電子駐車券ＤＭ２３２に記録される。
【０１７２】
続いて、ステップＳ１４２において、その計算された延長駐車時間の長さに見合う額の追加駐車料金が、所定の変換テーブルを参照することにより、計算される。その後、ステップＳ１４３において、その計算された追加駐車料金の額に見合う使用ポイント数が計算される。続いて、ステップＳ１４４において、その計算された使用ポイント数だけ、現在の有効ポイント数が減算されることにより、残存ポイント数が計算される。その残存ポイント数は、電子駐車券ＤＢ２３２に反映される。電子駐車券ＤＢ２３２には、さらに、有効ポイント数の部分的消費によってユーザが追加駐車料金を精算したことを表すデータも、図２０に例示するように、記録される。その後、ステップＳ１４５において、追加駐車料金がユーザによって精算されたことを表す精算領収書（図示しない）が発行され、その精算領収書を表すデータがユーザの通信機器に送信される。
【０１７３】
続いて、ステップＳ１４６において、図１７のステップＳ１３１に準じて、追加駐車料金がユーザによって精算されたことを担当者全員に連絡するための処理が行われる。以上で、この電子駐車券処理プログラムの今回の実行が終了する。
【０１７４】
［出庫催促メッセージの自動送信］
【０１７５】
本実施形態においては、前述のように、管理サーバ２０２は、電子駐車券２５０を利用して駐車を行うユーザにつき、入庫の時点において、入庫時刻も、その入庫時刻と有効駐車時間の長さとから計算される予定出庫時刻も知っている。そこで、図２７に示すように、本実施形態においては、管理サーバ２０２が、電子駐車券２５０を利用して駐車を行うユーザに対し、予定出庫時刻が間もなく到来することを予告したり、予定出庫時刻が経過したことを警告したり、予定出庫時刻を経過した場合には必ず延長駐車分の精算を行うことを注意するために、ユーザの通信機器に個別にメッセージを電子メールによって送信するように設計されている。
【０１７６】
具体的には、図２７に示すように、管理サーバ２０２は、ユーザごとに、電子駐車券ＤＢ２３２内のデータを参照して予定出庫時刻（有効駐車時間の終了時刻）を計算し、さらに、予定出庫時刻より設定時間（例えば、１時間）だけ早い時刻を出庫催促時刻として計算する。管理サーバ２０２は、その出庫催促時刻が到来すると、「予定出庫時刻までの残り時間が１時間を切った」旨の記述を含む出庫催促メッセージを作成し、その出庫催促メッセージを、電子メールにより、該当するユーザの通信機器に送信する。
【０１７７】
その出庫催促メッセージには、例えば、「予定出庫時刻を経過した場合には、出庫時に、ユーザは、管理サーバにアクセスして追加駐車料金の精算を行うことが必要である」旨の記述も含まれる。これにより、予定出庫時刻を経過した場合には、出庫時に、管理サーバ２０２にアクセスして追加駐車料金を精算することを忘れないように、ユーザの注意が喚起される。
【０１７８】
さらに、管理サーバ２０２は、ユーザごとに、予定出庫時刻が到来したか否かを判定し、到来した場合には、電子駐車券ＤＢ２３２を参照することにより、ユーザによって追加駐車料金の精算が行われたか否かを判定する。追加駐車料金の精算が終了していない場合には、管理サーバ２０２は、、「予定出庫時刻が経過している」旨の記述と、「出庫時には、ユーザは、管理サーバにアクセスして追加駐車料金を精算することが必要である」旨の記述とが含まれる。管理サーバ２０２は、その出庫催促メッセージを、電子メールにより、該当するユーザの通信機器に送信する。管理サーバ２０２は、その出庫催告メッセージを送信したユーザに対し、管理サーバ２０２にアクセスして追加駐車料金を精算するまで、設定時間（例えば、１時間）が経過するごとに、同じ出庫催促メッセージを繰り返し送信する。
【０１７９】
なお付言するに、本実施形態においては、同じ駐車場１０につき、通常駐車とカードレス駐車との双方が可能であり、そのため、発券機２０が、それ本来の発券機能のみならず、時刻コード１９０を暗号化によって生成して表示器３６の画面上に表示する時刻コード生成・表示機能をも有するように設計されている。しかし、本発明は、例えば、同じ駐車場１０につき、カードレス駐車のみが可能であって、発券機２０に代えて、時計１０２と、それによって計測された現在時刻を暗号化する暗号化器（例えば、前記時刻用暗号化テーブルを参照して時刻コード１９０を生成するプログラムを実行するコンピュータ）と、その暗号化によって生成された時刻コード１９０を表示する表示器３６とを少なくとも含む時刻コード生成・表示装置が駐車場１０に設置される態様で実施することが可能である。
【０１８０】
以上の説明から明らかなように、本実施形態においては、説明の便宜上、時計１０２が前記（１）項における「時計」の一例を構成し、また、制御基板３４のうち、図１４に示すステップＳ３２を実行する部分が同項における「暗号化部」の一例を構成し、また、表示器３６が同項における「表示部」の一例を構成し、また、発券機２０のうち、時刻コード１９０の生成および表示を行う部分が、同項における「駐車場用時刻コード生成・表示装置」の一例を構成し、また、表示器３６が、前記（２）項における「表示部」の一例および前記（５）項に係る「駐車場用時刻コード表示装置」の一例をそれぞれ構成していると考えることが可能である。
【０１８１】
さらに、本実施形態においては、説明の便宜上、図１７に示すステップＳ１２０およびＳ１２３が、前記（１）または（２）項における「入庫時受信工程」の一例を構成し、また、同図に示すステップＳ１２４ないしＳ１２６が、同項における「入庫時刻妥当性判定工程」の一例を構成し、また、同図に示すステップＳ１３０ａが、同項における「駐車許可工程」の一例を構成し、また、送信部２１０および受信部２１２が互いに共同して同項における「通信部」の一例を構成していると考えることが可能である。
【０１８２】
さらに、本実施形態においては、説明の便宜上、図１８に示すステップＳ１３４およびＳ１３７が、前記（３）項における「出庫時受信工程」の一例を構成し、また、同図に示すステップＳ１３８ないしＳ１４０が、同項における「出庫時刻妥当性判定工程」の一例を構成し、また、同図に示すステップＳ１４１が、同項における「駐車時間計算工程」の一例を構成していると考えることが可能である。
【０１８３】
さらに、本実施形態においては、説明の便宜上、図１６に示すステップＳ１０７が、前記（４）項における「発行リクエスト受信工程」の一例を構成し、また、同図に示すステップＳ１１０ないしＳ１１７が、同項における「電子駐車券発行工程」の一例を構成していると考えることが可能である。
【０１８４】
＜第２実施形態＞
【０１８５】
次に、本発明の例示的な第２実施形態に従う駐車場管理方法を説明する。ただし、第１実施形態と共通する要素については、同一の符号または名称を使用して引用することにより、重複した説明を省略し、異なる要素についてのみ、詳細に説明する。
【０１８６】
第１実施形態においては、カードレス駐車を行いたいユーザは、駐車場１０を利用しようとするごとに、その駐車に先立ち（入庫時に）、今回の駐車を行いたい予定駐車時間の長さを指定し、有効ポイント数のうち、その予定駐車時間の長さに見合った額の前払い駐車料金に相当するポイント数を消費する。その予定駐車時間が経過する前に、ユーザが駐車場１０から出庫するとき、すなわち、延長駐車を行わないときには、出庫時に管理サーバ２０２にアクセスすることは不要である。すなわち、ユーザは、延長駐車を行わない限り、出庫時に管理サーバ２０２にアクセスすることは不要なのである。これにより、ユーザは、延長駐車を行わない限り、各回の駐車にあたり、管理サーバ２０２との通信は、入庫時のみで済み、ユーザの手間が省略される。
【０１８７】
しかし、第１実施形態においては、ユーザの実際駐車時間が予定駐車時間より短い場合でも、予定駐車時間と同じだけ駐車した場合と同じポイント数が消費される。
【０１８８】
これに対し、本実施形態においては、ユーザに対し、入庫時のみならず出庫時にも、管理サーバ２０２にアクセスするというように、ユーザの手間が追加される一方で、入庫時にはポイント数の消費を行わず、出庫時にまとめて駐車時間を計算してポイント数を消費し、それにより、消費されるポイント数が、実際の駐車時間にちょうど見合うように計算される。その結果、本実施形態によれば、ユーザは、無駄なポイント数を消費せずに済み、経済的である。
【０１８９】
次に、図２８ないし図３３を参照することにより、本実施形態に従う駐車場管理方法を説明するが、この方法を実行するために管理サーバ２０２において実行される電子駐車券処理プログラムは、図１６に示す第１サブプログラム（会員登録および電子駐車券２５０の発行）と同じものと、図１７に示す第２サブプログラム（電子駐車券２５０の利用許可）を置換する第４サブプログラムと、図１８に示す第３サブプログラム（延長駐車時の追加駐車料金の精算）を置換する第５サブプログラムとを含んでいる。
【０１９０】
第４サブプログラムは、電子駐車券２５０を利用した駐車の開始を許可するために管理サーバ２０２において実行され、図２８に概念的にフローチャートで表されている。また、第５サブプログラムは、電子駐車券２５０を利用した駐車の終了時にユーザが駐車料金をポイント消費で精算するために管理サーバ２０２において実行され、図２９に概念的にフローチャートで表されている。
【０１９１】
以下、本実施形態における電子駐車券処理プログラムを説明するが、第１実施形態と共通するプロセスについては重複した説明を省略し、異なるプロセスについてのみ詳細に説明する。
【０１９２】
［電子駐車券を利用した駐車の許可］
【０１９３】
ユーザは、駐車場１０への入庫時に、電子駐車券２５０を利用した駐車の許可を駐車管理者に対して要求するために、図３０にシーケンス図で例示するように、管理サーバ２０２にアクセスする。その後、ユーザは、今回利用したい電子駐車券２５０に割り当てられたチケット番号を管理サーバ２０２に送信し、管理サーバ２０２は、その電子駐車券２５０の有効性を確認する。続いて、ユーザは、表示器３６に表示されている時刻コード１９０および場所コード１９２を管理サーバ２０２に送信する。管理サーバ２０２は、その受信した時刻コード１９０の暗号解読により、ユーザの入庫時刻を推定し、それと、管理サーバ２０２によって計測される現在時刻との比較により、推定された入庫時刻の妥当性を確認する。
【０１９４】
推定された入庫時刻が妥当である場合には、管理サーバ２０２は、ユーザによる駐車を許可し、駐車許可メッセージをユーザに送信する。管理サーバ２０２は、今回のユーザに駐車を許可した事実を、第１実施形態と同様にして、ユーザ本人のみならず、前述の複数人の担当者にも連絡する。
【０１９５】
このプロセスを実行するために、管理サーバ２０２は、図２８に示す第４サブプログラムを実行する。この第４サブプログラムの実行時には、まず、ステップＳ３０１において、ユーザの通信機器から駐車許可リクエストを受信したか否かが判定される。今回は、駐車許可リクエストを受信したと仮定すると、ステップＳ３０１の判定がＹＥＳとなり、ステップＳ１１９ないしＳ１２６が、第１実施形態と同様にして実行される。
【０１９６】
ステップＳ１２６において、ユーザから今回受信した時刻コード１９０の暗号解読によって推定された入庫時刻が妥当であると判定された場合には、ステップＳ３０２において、ユーザに駐車を許可したことを表す駐車許可メッセージがユーザの通信機器に対して返信される。その後、ステップＳ３０３において、そのユーザに、駐車場１０での駐車を許可したことを表す情報が担当者全員に対して連絡される。以上で、この第４サブプログラムの今回の実行が終了する。
【０１９７】
［電子駐車券を利用した駐車のための駐車料金の精算］
【０１９８】
ユーザは、駐車場１０からの出庫時に、駐車料金の精算のため、図３１にシーケンス図で例示するように、管理サーバ２０２にアクセスする。その後、ユーザは、今回利用した電子駐車券２５０に割り当てられたチケット番号を管理サーバ２０２に送信し、管理サーバ２０２は、その電子駐車券２５０の有効性を確認する。続いて、ユーザは、表示器３６に表示されている時刻コード１９０および場所コード１９２を管理サーバ２０２に送信する。管理サーバ２０２は、その受信した時刻コード１９０の暗号解読により、ユーザの出庫時刻を推定し、それと、管理サーバ２０２によって計測される現在時刻との比較により、推定された出庫時刻の妥当性を確認する。
【０１９９】
その後、管理サーバ２０２においては、図２９に示すステップＳ４０２において、推定された出庫時刻から、電子駐車券ＤＢ２３２に記録されている入庫時刻を引き算することにより、駐車時間の長さが計算される。推定された出庫時刻は、図２０に例示するように、電子駐車券ＤＭ２３２に記録される。
【０２００】
続いて、ステップＳ４０３において、その計算された駐車時間の長さに見合う額の駐車料金が、所定の変換テーブルを参照することにより、計算される。その後、ステップＳ４０４において、その計算された駐車料金の額に見合う使用ポイント数が計算される。続いて、ステップＳ４０５において、その計算された使用ポイント数だけ、現在の有効ポイント数が減算されることにより、残存ポイント数が計算される。その残存ポイント数は、電子駐車券ＤＢ２３２に反映される。電子駐車券ＤＢ２３２には、さらに、有効ポイント数の部分的消費によってユーザが駐車料金を精算したことを表すデータも、図２０に例示するように、記録される。その後、ステップＳ４０６において、駐車料金がユーザによって精算されたことを表す領収書２７０が発行され、その領収書２７０を表すデータがユーザの通信機器に送信される。
【０２０１】
続いて、ステップＳ４０７において、駐車料金がユーザによって精算されたことを担当者全員に連絡するための処理が行われる。以上で、この第５サブプログラムの今回の実行が終了する。
【０２０２】
［出庫催促メッセージの自動送信］
【０２０３】
本実施形態においては、前述のように、管理サーバ２０２は、電子駐車券２５０を利用して駐車を行うユーザにつき、入庫の時点において、入庫時刻は知っているが、第１実施形態とは異なり、予定出庫時刻は知らない。しかし、管理サーバ２０２は、入庫時刻から現在時刻までの経過時間、すなわち、現在時刻までのユーザの駐車時間を逐次計算できるし、さらに、その駐車時間の長さに見合う分の使用ポイント数も逐次計算できる。そうすると、管理サーバ２０２は、各時刻において、その時点で使用ポイント数を消費しようとしても、残存ポイント数が駐車時間の長さとの関係において不足しているため、駐車料金を全額精算できないという事実に気づくことができる。
【０２０４】
そこで、本実施形態においては、図３３にシーケンス図で示すように、管理サーバ２０２は、駐車料金の精算が終了していないユーザごとに、逐次、駐車時間の長さを計算し、さらに、その駐車時間の長さに見合う分の使用ポイント数も計算する。管理サーバ２０２は、さらに、その時点で使用ポイント数を消費しようとしても、残存ポイント数が駐車時間の長さとの関係において不足しているか否かを判定する。管理サーバ２０２は、残存ポイント数が不足している場合には、ユーザが速やかに出庫することを促すための出庫催促メッセージを作成し、その出庫催促メッセージを、電子メールにより、該当するユーザの通信機器に送信する。
【０２０５】
以上の説明から明らかなように、本実施形態においては、説明の便宜上、図２８に示すステップＳ１２０およびＳ１２３が、前記（１）または（２）項における「入庫時受信工程」の一例を構成し、また、同図に示すステップＳ１２４ないしＳ１２６が、同項における「入庫時刻妥当性判定工程」の一例を構成し、また、同図に示すステップＳ３０２が、同項における「駐車許可工程」の一例を構成していると考えることが可能である。
【０２０６】
さらに、本実施形態においては、説明の便宜上、図２９に示すステップＳ１３４およびＳ１３７が、前記（３）項における「出庫時受信工程」の一例を構成し、また、同図に示すステップＳ１３８ないしＳ１４０が、同項における「出庫時刻妥当性判定工程」の一例を構成し、また、同図に示すステップＳ４０２が、同項における「駐車時間計算工程」の一例を構成していると考えることが可能である。
【０２０７】
なお付言するに、以上説明したいくつかの実施形態においては、発券機２０が、駐車場管理者（管理サーバ２０２）との間で通信を行う機能を有していない自立型であり、発券機２０の設備コストの最小化に有利であるが、本発明は、発券機２０がその通信機能を有する態様で実施することが可能である。
【０２０８】
この態様においては、例えば、時計１０２と、その時計１０２によって計測された現在時刻を暗号化する時刻暗号化部（コンピュータが、図１３（ｂ）に示す時刻用暗号化テーブルを参照して時刻コード１９０を生成する部分）とが管理サーバ２０２に搭載されていて、その管理サーバ２０２が、現在時刻を計測してそれを暗号化して時刻コード１９０を生成し、その時刻コード１９０を発券機２０に送信し、そして、その発券機２０の表示器３６が、受信した時刻コード１９０を表示する。この態様によれば、発券機２０が、前記通信機能を有する代わりに、時計１０２および前記時刻用暗号化部を有せずに済む。
【０２０９】
以上、本発明のいくつかの実施形態を図面に基づいて詳細に説明したが、これらは例示であり、前記［発明の概要］の欄に記載の態様を始めとして、当業者の知識に基づいて種々の変形、改良を施した他の形態で本発明を実施することが可能である。
【図１】
2020091881.tif 000003
【図２】
2020091881.tif 000004
【図３】
2020091881.tif 000005
【図４】
2020091881.tif 000006
【図５】
2020091881.tif 000007
【図６】
2020091881.tif 000008
【図７】
2020091881.tif 000009
【図８】
2020091881.tif 000010
【図９】
2020091881.tif 000011
【図１０】
2020091881.tif 000012
【図１１】
2020091881.tif 000013
【図１２】
2020091881.tif 000014
【図１３】
2020091881.tif 000015
【図１４】
2020091881.tif 000016
【図１５】
2020091881.tif 000017
【図１６】
2020091881.tif 000018
【図１７】
2020091881.tif 000019
【図１８】
2020091881.tif 000020
【図１９】
2020091881.tif 000021
【図２０】
2020091881.tif 000022
【図２１】
2020091881.tif 000023
【図２２】
2020091881.tif 000024
【図２３】
2020091881.tif 000025
【図２４】
2020091881.tif 000026
【図２５】
2020091881.tif 000027
【図２６】
2020091881.tif 000028
【図２７】
2020091881.tif 000029
【図２８】
2020091881.tif 000030
【図２９】
2020091881.tif 000031
【図３０】
2020091881.tif 000032
【図３１】
2020091881.tif 000033
【図３２】
2020091881.tif 000034
【図３３】
2020091881.tif 000035